(57)【特許請求の範囲】
【請求項１】
低温の熱を発生する低温熱源装置と、高温の熱を発生する高温熱源装置と、空調対象空間の湿度を検出する湿度センサーとを備え、
前記低温及び高温熱源装置から供給される熱を利用して、前記空調対象空間の空気を除湿する除湿運転を実行可能な空調装置と、
前記低温及び高温熱源装置、前記空調装置を制御する制御装置とを備えて、
前記制御装置は、
前記空調対象空間の湿度が目標湿度範囲内であると、前記空調装置を停止させ、
前記空調対象空間の湿度が前記目標湿度範囲よりも高くなるほど、前記空調装置に高温の熱が供給されるように前記低温及び高温熱源装置を作動させて、前記空調装置に除湿運転を実行させ、
前記空調対象空間の湿度が前記目標湿度範囲よりも高い状態の時間が長くなるほど、前記空調装置に高温の熱が供給されるように前記低温及び高温熱源装置を作動させて、前記空調装置に除湿運転を実行させる空調システム。
【請求項２】
前記制御装置は、
前記空調対象空間の湿度が前記目標湿度範囲よりも高い状態において、
前記空調対象空間の湿度と前記目標湿度範囲との差が除湿設定値以内であると、前記空調装置に低温の熱が供給されるように前記低温熱源装置を作動させて、前記空調装置に除湿運転を実行させ、
前記空調対象空間の湿度と前記目標湿度範囲との差が前記除湿設定値よりも大きいと、前記空調装置に高温の熱が供給されるように前記高温熱源装置を作動させて、前記空調装置に除湿運転を実行させる請求項１に記載の空調システム。
【請求項３】
低温の熱を発生する低温熱源装置と、高温の熱を発生する高温熱源装置と、空調対象空間の湿度を検出する湿度センサーとを備え、
前記低温及び高温熱源装置から供給される熱を利用して、前記空調対象空間の空気を加湿する加湿運転を実行可能な空調装置と、
前記低温及び高温熱源装置、前記空調装置を制御する制御装置とを備えて、
前記制御装置は、
前記空調対象空間の湿度が目標湿度範囲内であると、前記空調装置を停止させ、
前記空調対象空間の湿度が前記目標湿度範囲よりも低くなるほど、前記空調装置に高温の熱が供給されるように前記低温及び高温熱源装置を作動させて、前記空調装置に加湿運転を実行させ、
前記空調対象空間の湿度が前記目標湿度範囲よりも低い状態において、前記空調対象空間の湿度と前記目標湿度範囲との差が加湿設定値以内であると、前記空調装置に低温の熱が供給されるように前記低温熱源装置を作動させて、前記空調装置に加湿運転を実行させ、前記空調対象空間の湿度と前記目標湿度範囲との差が前記加湿設定値よりも大きいと、前記空調装置に高温の熱が供給されるように前記高温熱源装置を作動させて、前記空調装置に加湿運転を実行させ、
前記空調対象空間の湿度が前記目標湿度範囲よりも低い状態の時間が長くなるほど、前記空調装置に高温の熱が供給されるように前記低温及び高温熱源装置を作動させて、前記空調装置に加湿運転を実行させる空調システム。
【請求項４】
低温の熱を発生する低温熱源装置と、高温の熱を発生する高温熱源装置と、空調対象空間の湿度を検出する湿度センサーとを備え、
前記低温及び高温熱源装置から供給される熱を利用して、前記空調対象空間の空気を加湿する加湿運転を実行可能な空調装置と、
前記低温及び高温熱源装置、前記空調装置を制御する制御装置とを備えて、
前記制御装置は、
前記空調対象空間の湿度が目標湿度範囲内であると、前記空調装置を停止させ、
前記空調対象空間の湿度が前記目標湿度範囲よりも低くなるほど、前記空調装置に高温の熱が供給されるように前記低温及び高温熱源装置を作動させて、前記空調装置に加湿運転を実行させ、
前記空調対象空間の湿度が前記目標湿度範囲よりも低い状態の時間が長くなるほど、前記空調装置に高温の熱が供給されるように前記低温及び高温熱源装置を作動させて、前記空調装置に加湿運転を実行させる空調システム。
【請求項５】
前記低温熱源装置が、熱電併給装置又は太陽熱集熱装置であり、
前記高温熱源装置が、燃料を燃焼させて熱を発生する熱源機である請求項１〜４のうちのいずれか一項に記載の空調システム。
【発明の詳細な説明】
【技術分野】
【０００１】
本発明は、空調対象空間の空気を除湿（加湿）する空調システムに関する。
【背景技術】
【０００２】
前述のような空調システムとしては、特許文献１に開示されているように、空調対象空間の換気を継続して行うように構成されたものがある。
特許文献１の空調システムでは、熱を発生する熱源装置を備え、熱源装置から供給される熱を利用して空調対象空間の空気を除湿する除湿運転（空調対象空間の空気を加湿する加湿運転）を実行可能な空調装置を備えており、空調対象空間の換気を継続して行いながら、空調対象空間の空気の除湿（加湿）も行うことができるように構成されている。
【先行技術文献】
【特許文献】
【０００３】
【特許文献１】特許第５７０１１２１号公報（特願２０１１−６９１２６）
【発明の概要】
【発明が解決しようとする課題】
【０００４】
空調対象空間の湿度を目標湿度範囲内に維持するという点において、特許文献１の空調システムでは、空調対象空間の継続的な換気が主体であることにより、不足な面があると考えられる。
さらに、特許文献１の空調システムにおいて、空調対象空間の湿度が目標湿度範囲に入っても、空調対象空間の換気が継続的に行われることにより、この後に空調対象空間の湿度が目標湿度範囲よりも高くなることが考えられる（低くなることが考えられる）。
本発明は、空調対象空間の湿度を目標湿度範囲内に適切に維持することができる空調システムを得ることを目的としている。
【課題を解決するための手段】
【０００５】
本発明の特徴は、空調システムにおいて次のように構成することにある。
低温の熱を発生する低温熱源装置と、高温の熱を発生する高温熱源装置と、空調対象空間の湿度を検出する湿度センサーとを備え、
前記低温及び高温熱源装置から供給される熱を利用して、前記空調対象空間の空気を除湿する除湿運転を実行可能な空調装置と、
前記低温及び高温熱源装置、前記空調装置を制御する制御装置とを備えて、
前記制御装置は、
前記空調対象空間の湿度が目標湿度範囲内であると、前記空調装置を停止させ、
前記空調対象空間の湿度が前記目標湿度範囲よりも高くなるほど、前記空調装置に高温の熱が供給されるように前記低温及び高温熱源装置を作動させて、前記空調装置に除湿運転を実行させ、
前記空調対象空間の湿度が前記目標湿度範囲よりも高い状態の時間が長くなるほど、前記空調装置に高温の熱が供給されるように前記低温及び高温熱源装置を作動させて、前記空調装置に除湿運転を実行させる。
【０００６】
本発明によれば、空調対象空間の湿度が目標湿度範囲よりも高いと、空調装置に除湿運転を実行させており、空調対象空間の湿度が目標湿度範囲内であると、空調装置を停止させている。これにより、空調対象空間の湿度を目標湿度範囲内に早急に戻して適切に維持することができる。
【０００７】
空調対象空間の湿度が目標湿度範囲に入るように空調対象空間の空気を除湿する場合、空調対象空間の湿度が目標湿度範囲から少しだけ外れている状態や、空調対象空間の湿度が目標湿度範囲から大きく外れている状態がある。
これにより、空調装置の除湿運転において、空調対象空間の湿度が目標湿度範囲から少しだけ外れている状態では、空調装置が最小能力で作動したり、空調対象空間の湿度が目標湿度範囲から大きく外れている状態では、空調装置が最大能力で作動したりというように、空調装置の作動範囲の幅が大きなものとなる。
【０００８】
空調装置を作動させる為の熱を供給する熱源装置として、単一の熱源装置ではなく、低温及び高温熱源装置という２種類の熱源装置を備えて、低温及び高温熱源装置を適切に作動させることによって、低温から高温までの幅広い温度範囲の熱を無駄なく空調装置に供給することができるのであり、空調装置を無理なく大きな作動範囲で作動させることができる。
【０００９】
また、空調対象空間の湿度が目標湿度範囲に入るように空調対象空間の空気を除湿する場合、空調対象空間の湿度が目標湿度範囲から少しだけ外れている状態や大きく外れている状態に加えて、空調対象空間の湿度が目標湿度範囲よりも高い状態の時間の長さも、空調対象空間の収納物の保護という面で重要な点となっている。
本発明によると、空調対象空間の湿度が目標湿度範囲よりも高い状態の時間が長くなるほど、空調装置に高温の熱が供給されるように低温及び高温熱源装置が作動して、空調装置が除湿運転を実行することにより、空調対象空間の湿度を目標湿度範囲内に早急に戻して適切に維持することができる。
これにより、空調対象空間の収納物が不適切な湿度の状態に長時間に亘って曝されるという状態を避けることができて、空調対象空間の収納物の保護という面で有利なものとなる。
【００１０】
本発明の特徴は、空調システムにおいて次のように構成することにある。
前記制御装置は、
前記空調対象空間の湿度が前記目標湿度範囲よりも高い状態において、
前記空調対象空間の湿度と前記目標湿度範囲との差が除湿設定値以内であると、前記空調装置に低温の熱が供給されるように前記低温熱源装置を作動させて、前記空調装置に除湿運転を実行させ、
前記空調対象空間の湿度と前記目標湿度範囲との差が前記除湿設定値よりも大きいと、前記空調装置に高温の熱が供給されるように前記高温熱源装置を作動させて、前記空調装置に除湿運転を実行させる。
【００１１】
本発明によると、低温及び高温熱源装置を備えた場合、空調対象空間の湿度が目標湿度範囲よりも高い状態において、除湿設定値を閾値として、低温及び高温熱源装置が適切に使い分けられるのであり、低温及び高温熱源装置を無駄なく作動させることができる。
【００１２】
本発明の特徴は、空調システムにおいて次のように構成することにある。
低温の熱を発生する低温熱源装置と、高温の熱を発生する高温熱源装置と、空調対象空間の湿度を検出する湿度センサーとを備え、
前記低温及び高温熱源装置から供給される熱を利用して、前記空調対象空間の空気を加湿する加湿運転を実行可能な空調装置と、
前記低温及び高温熱源装置、前記空調装置を制御する制御装置とを備えて、
前記制御装置は、
前記空調対象空間の湿度が目標湿度範囲内であると、前記空調装置を停止させ、
前記空調対象空間の湿度が前記目標湿度範囲よりも低くなるほど、前記空調装置に高温の熱が供給されるように前記低温及び高温熱源装置を作動させて、前記空調装置に加湿運転を実行させ、
前記空調対象空間の湿度が前記目標湿度範囲よりも低い状態において、前記空調対象空間の湿度と前記目標湿度範囲との差が加湿設定値以内であると、前記空調装置に低温の熱が供給されるように前記低温熱源装置を作動させて、前記空調装置に加湿運転を実行させ、前記空調対象空間の湿度と前記目標湿度範囲との差が前記加湿設定値よりも大きいと、前記空調装置に高温の熱が供給されるように前記高温熱源装置を作動させて、前記空調装置に加湿運転を実行させ、
前記空調対象空間の湿度が前記目標湿度範囲よりも低い状態の時間が長くなるほど、前記空調装置に高温の熱が供給されるように前記低温及び高温熱源装置を作動させて、前記空調装置に加湿運転を実行させる。
【００１３】
本発明によれば、空調対象空間の湿度が目標湿度範囲よりも低いと、空調装置に加湿運転を実行させており、空調対象空間の湿度が目標湿度範囲内であると、空調装置を停止させている。これにより、空調対象空間の湿度を目標湿度範囲内に早急に戻して適切に維持することができる。
【００１４】
空調対象空間の湿度が目標湿度範囲に入るように空調対象空間の空気を加湿する場合、空調対象空間の湿度が目標湿度範囲から少しだけ外れている状態や、空調対象空間の湿度が目標湿度範囲から大きく外れている状態がある。
これにより、空調装置の加湿運転において、空調対象空間の湿度が目標湿度範囲から少しだけ外れている状態では、空調装置が最小能力で作動したり、空調対象空間の湿度が目標湿度範囲から大きく外れている状態では、空調装置が最大能力で作動したりというように、空調装置の作動範囲の幅が大きなものとなる。
【００１５】
空調装置を作動させる為の熱を供給する熱源装置として、単一の熱源装置ではなく、低温及び高温熱源装置という２種類の熱源装置を備えて、低温及び高温熱源装置を適切に作動させることによって、低温から高温までの幅広い温度範囲の熱を無駄なく空調装置に供給することができるのであり、空調装置を無理なく大きな作動範囲で作動させることができる。
本発明によると、低温及び高温熱源装置を備えた場合、空調対象空間の湿度が目標湿度範囲よりも低い状態において、加湿設定値を閾値として、低温及び高温熱源装置が適切に使い分けられるのであり、低温及び高温熱源装置を無駄なく作動させることができる。
【００１６】
空調対象空間の湿度が目標湿度範囲に入るように空調対象空間の空気を加湿する場合、空調対象空間の湿度が目標湿度範囲から少しだけ外れている状態や大きく外れている状態に加えて、空調対象空間の湿度が目標湿度範囲よりも低い状態の時間の長さも、空調対象空間の収納物の保護という面で重要な点となっている。
本発明によると、空調対象空間の湿度が目標湿度範囲よりも低い状態の時間が長くなるほど、空調装置に高温の熱が供給されるように低温及び高温熱源装置が作動して、空調装置が加湿運転を実行することにより、空調対象空間の湿度を目標湿度範囲内に早急に戻して適切に維持することができる。
これにより、空調対象空間の収納物が不適切な湿度の状態に長時間に亘って曝されるという状態を避けることができて、空調対象空間の収納物の保護という面で有利なものとなる。
【００１７】
本発明の特徴は、空調システムにおいて次のように構成することにある。
低温の熱を発生する低温熱源装置と、高温の熱を発生する高温熱源装置と、空調対象空間の湿度を検出する湿度センサーとを備え、
前記低温及び高温熱源装置から供給される熱を利用して、前記空調対象空間の空気を加湿する加湿運転を実行可能な空調装置と、
前記低温及び高温熱源装置、前記空調装置を制御する制御装置とを備えて、
前記制御装置は、
前記空調対象空間の湿度が目標湿度範囲内であると、前記空調装置を停止させ、
前記空調対象空間の湿度が前記目標湿度範囲よりも低くなるほど、前記空調装置に高温の熱が供給されるように前記低温及び高温熱源装置を作動させて、前記空調装置に加湿運転を実行させ、
前記空調対象空間の湿度が前記目標湿度範囲よりも低い状態の時間が長くなるほど、前記空調装置に高温の熱が供給されるように前記低温及び高温熱源装置を作動させて、前記空調装置に加湿運転を実行させる。
【００１８】
本発明によれば、空調対象空間の湿度が目標湿度範囲よりも低いと、空調装置に加湿運転を実行させており、空調対象空間の湿度が目標湿度範囲内であると、空調装置を停止させている。これにより、空調対象空間の湿度を目標湿度範囲内に早急に戻して適切に維持することができる。
空調対象空間の湿度が目標湿度範囲に入るように空調対象空間の空気を加湿する場合、空調対象空間の湿度が目標湿度範囲から少しだけ外れている状態や、空調対象空間の湿度が目標湿度範囲から大きく外れている状態がある。
これにより、空調装置の加湿運転において、空調対象空間の湿度が目標湿度範囲から少しだけ外れている状態では、空調装置が最小能力で作動したり、空調対象空間の湿度が目標湿度範囲から大きく外れている状態では、空調装置が最大能力で作動したりというように、空調装置の作動範囲の幅が大きなものとなる。
空調装置を作動させる為の熱を供給する熱源装置として、単一の熱源装置ではなく、低温及び高温熱源装置という２種類の熱源装置を備えて、低温及び高温熱源装置を適切に作動させることによって、低温から高温までの幅広い温度範囲の熱を無駄なく空調装置に供給することができるのであり、空調装置を無理なく大きな作動範囲で作動させることができる。
【００１９】
空調対象空間の湿度が目標湿度範囲に入るように空調対象空間の空気を加湿する場合、空調対象空間の湿度が目標湿度範囲から少しだけ外れている状態や大きく外れている状態に加えて、空調対象空間の湿度が目標湿度範囲よりも低い状態の時間の長さも、空調対象空間の収納物の保護という面で重要な点となっている。
本発明によると、空調対象空間の湿度が目標湿度範囲よりも低い状態の時間が長くなるほど、空調装置に高温の熱が供給されるように低温及び高温熱源装置が作動して、空調装置が加湿運転を実行することにより、空調対象空間の湿度を目標湿度範囲内に早急に戻して適切に維持することができる。
これにより、空調対象空間の収納物が不適切な湿度の状態に長時間に亘って曝されるという状態を避けることができて、空調対象空間の収納物の保護という面で有利なものとなる。
【００２３】
本発明の特徴は、空調システムにおいて次のように構成することにある。
前記低温熱源装置が、熱電併給装置又は太陽熱集熱装置であり、
前記高温熱源装置が、燃料を燃焼させて熱を発生する熱源機である。
【００２４】
本発明によると、低温熱源装置として適切な熱電併給装置又は太陽熱集熱装置を使用して、高温熱源装置として適切な熱源機を使用することにより、空調装置に低温の熱及び高温の熱を無理なく供給することができる。
【図面の簡単な説明】
【００２５】
【図１】空調システムの全体構成を示す図である。
【図２】制御装置と各部との連係状態を示す図である。
【図３】空調システムの蓄熱運転の状態を示す図である。
【図４】空調システムの第１熱供給運転の状態を示す図である。
【図５】空調システムの第２熱供給運転の状態を示す図である。
【図６】空調装置の全体構成を示す図である。
【図７】空調装置の除湿運転の状態を示す図である。
【図８】空調装置の加湿運転の状態を示す図である。
【図９】湿度センサーの検出値（空調対象空間の湿度）と運転状態との関係を示す図である。
【図１０】発明の実施の第１別形態において、湿度センサーの検出値（空調対象空間の湿度）と運転状態との関係を示す図である。
【図１１】発明の実施の第２別形態において、湿度センサーの検出値（空調対象空間の湿度）と運転状態との関係を示す図である。
【図１２】発明の実施の第２別形態において、空調装置の冷房運転の状態を示す図である。
【図１３】発明の実施の第２別形態において、空調装置の暖房運転の状態を示す図である。
【図１４】発明の実施の第３別形態において、湿度センサーの検出値（空調対象空間の湿度）と運転状態との関係を示す図である。
【図１５】発明の実施の第４別形態において、湿度センサーの検出値（空調対象空間の湿度）と運転状態との関係を示す図である。
【図１６】発明の実施の第５別形態において、湿度センサーの検出値（空調対象空間の湿度）と運転状態との関係を示す図である。
【発明を実施するための形態】
【００２６】
［１］
空調システムの全体構成について説明する。
図１に示すように、空調システムにおいて、燃料電池１（低温熱源装置に相当）（熱電併給装置に相当）、熱源機２（高温熱源装置に相当）、空調装置３、貯湯タンク４、ラジエータ装置５及び制御装置６（図２参照）等が備えられている。
【００２７】
図１に示すように、燃料電池１に熱交換器７及びポンプ８が備えられて、燃料電池１、貯湯タンク４及びラジエータ装置５が、切換弁９及び流路１１により接続されている。流路１１における貯湯タンク４とラジエータ装置５との間の部分と、切換弁９とに亘って温水供給路１２が接続されており、温水供給路１２に熱交換器１０が備えられている。
【００２８】
図１に示すように、熱源機２は、燃料を燃焼させて熱を発生するボイラによって構成されている。熱交換器１７が備えられており、熱源機２と熱交換器１７とが温水循環路１３により接続されている。温水循環路１３が貯湯タンク４に接続されており、温水循環路１３にポンプ１８が備えられている。
【００２９】
図１に示すように、空調装置３及び熱交換器１０，１７が、温水循環路１４により接続されており、温水循環路１４にポンプ１９及び開閉弁２０が備えられている。貯湯タンク４に給水路１５が接続されており、給水路１５を介して貯湯タンク４に水が供給される。風呂場（図示せず）等に温水を供給する給湯路１６が、熱源機２の下流部から延出されている。
【００３０】
図１に示すように、燃料電池１は、住宅の居室等の空調対象空間３０に設置された電力消費装置（照明装置等）や空調装置３に電力を供給するのであり、燃料電池１が作動する際に発生する熱が熱交換器７に回収される。
【００３１】
これにより、燃料電池１の作動に伴って、熱交換器７に回収された熱により温水が生成されて、温水が貯湯タンク４に貯留される蓄熱運転が実行されるのであり、熱交換器７に回収された熱が熱交換器１０に供給されて、空調装置３に供給される温水（熱媒に相当）が生成される第１熱供給運転が実行される。熱源機２により温水が生成され熱交換器１７に供給されて、空調装置３に供給される温水が生成される第２熱供給運転が実行される。
【００３２】
図２に示すように、燃料電池１（ポンプ８）、熱源機２、空調装置３、ラジエータ装置５、切換弁９、ポンプ１８，１９及び開閉弁２０が、制御装置６により操作されて、前述の蓄熱運転、第１熱供給運転及び第２熱供給運転が実行される。
第１及び第２熱供給運転により生成された温水が空調装置３に供給されるのであり、供給される温水を利用して、空調装置３において除湿運転及び加湿運転が実行される。
以下の［２］［３］［４］において、蓄熱運転、第１熱供給運転及び第２熱供給運転について説明する。
【００３３】
［２］
空調システムの蓄熱運転について説明する。
図３の太線及び矢印に示すように、制御装置６によりポンプ８及び切換弁９が操作されて、貯湯タンク４の下部の水が流路１１を介して燃料電池１に供給され、熱交換器７により温水が生成されて、温水が切換弁９及び流路１１を介して貯湯タンク４に貯留される。必要な温水が温水循環路１３及び給湯路１６を介して供給されるのであり、貯湯タンク４の温水が少なくなると、水が給水路１５から流路１１を介して燃料電池１に供給され、前述のように温水が生成されて貯湯タンク４に貯留される。
【００３４】
図３に示すように、貯湯タンク４の上部の温水の温度を検出する温度センサー２１、貯湯タンク４の中部の温水の温度を検出する温度センサー２２、貯湯タンク４の下部の温水の温度を検出する温度センサー２３が備えられている。
【００３５】
図３に示すように、制御装置６により、温度センサー２１，２２，２３の検出値に基づいて貯湯タンク４の蓄熱量が演算されるのであり、貯湯タンク４の蓄熱量が満杯状態になると、貯湯タンク４の蓄熱量が満杯状態を越えないように、ラジエータ装置５が適宜作動して、放熱が行われる。
【００３６】
［３］
空調システムの第１熱供給運転について説明する。
図４の太線及び矢印に示すように、制御装置６によりポンプ８及び切換弁９が操作されて、水が流路１１から燃料電池１に供給され、熱交換器７により温水が生成されるのであり、温水が切換弁９及び温水供給路１２を介して熱交換器１０に供給され、熱交換器１０から温水供給路１２を介して流路１１に戻る。これにより、水が熱媒として流路１１及び温水供給路１２を循環する。
【００３７】
図４に示すように、制御装置６によりポンプ１９及び開閉弁２０が操作されて、空調装置３の水が温水循環路１４及び開閉弁２０を介して熱交換器１０に供給されて、熱交換器１０により温水が生成されるのであり、温水が空調装置３に供給される。これにより、水が熱媒として、温水循環路１４を循環する。
本項［３］で説明した第１熱供給運転では、熱源が燃料電池１であるので、熱交換器７，１０において比較的低温の温水（熱）が生成される。
【００３８】
［４］
空調システムの第２熱供給運転について説明する。
図５の太線及び矢印に示すように、制御装置６により熱源機２及びポンプ１８が操作されて、水が熱源機２に供給され、熱源機２により温水が生成されるのであり、温水が温水循環路１３を介して熱交換器１７に供給され、熱交換器１７から温水循環路１３を介して熱源機２に戻る。これにより、水が熱媒として温水循環路１３を循環する。
【００３９】
図５に示すように、制御装置６によりポンプ１９及び開閉弁２０が操作されて、空調装置３の水が温水循環路１４及び開閉弁２０を介して熱交換器１７に供給されて、熱交換器１７により温水が生成されるのであり、温水が空調装置３に供給される。これにより、水が熱媒として、温水循環路１４を循環する。
この場合、第２熱供給運転が行われている状態において、前項［２］及び図３に示す蓄熱運転を同時に行うことも可能である。
【００４０】
本項［４］で説明した第２熱供給運転では、熱源が熱源機２であるので、熱交換器１７において比較的高温の温水（熱）が生成されるのであり、熱源機２で燃焼させる燃料を調節することにより、温水循環路１４の温水（熱）の温度調節が行える。
【００４１】
［５］
空調装置３の全体構成について説明する。
図１に示すように、空調装置３は、空調対象空間３０に設置されるものである。図６に示すように、空調装置３において、第１デシカントロータ３１、第２デシカントロータ３２、第１顕熱交換器４１、第２顕熱交換器４２、第１温水熱交換器６１、第２温水熱交換器６２、空調対象空間３０に連通する第１排出路３４、第２排出路３５及び吸入路３６、外部（外気）に連通する外部排出路３７及び外部吸入路３８等が備えられている。
【００４２】
図６に示すように、第１及び第２デシカントロータ３１，３２は、ハニカム構造を備えた円板状に構成されて、表面に吸湿材が塗布されており、電動モータ３１ｃ，３２ｃにより回転駆動される。
第１及び第２デシカントロータ３１の第１及び第２部分３１ａ，３２ａ，３１ｂ，３２ｂが備えられており、第１部分３１ａ，３２ａで吸湿材が水分を吸湿した場合、回転により吸湿材が第２部分３１ｂ，３２ｂに達すると、吸湿材から水分が排出されて、吸湿材が再生される。逆に第２部分３１ｂ，３２ｂで吸湿材が水分を吸湿した場合、回転により吸湿材が第１部分３１ａ，３２ａに達すると、吸湿材から水分が排出されて、吸湿材が再生される。
【００４３】
図６に示すように、第１排出路３４が、第１デシカントロータ３１の第２部分３１ｂに接続されている。第２排出路３５、第１デシカントロータ３１の第２部分３１ｂ及び第２顕熱交換器４２が、流路４３，４４及び切換弁３９により接続されており、流路４４に吸入送風機４０が備えられている。
【００４４】
図６に示すように、外部排出路３７が、流路４５により第１顕熱交換器４１に接続されており、流路４５に排出送風機５３が備えられている。第１及び第２顕熱交換器４１，４２が、流路４６，５９及び切換弁５８により接続されており、流路４６に吸入路３６が接続されている。吸入路３６に温度センサー５４及び湿度センサー５５が備えられており、空調対象空間３０の温度及び湿度を温度センサー５４及び湿度センサー５５により検出することができる。
【００４５】
図６に示すように、流路４５及び第２デシカントロータ３２の第２部分３２ｂが、流路４７により接続されて、第２デシカントロータ３２の第２部分３２ｂ及び第２顕熱交換器４２が、流路４８により接続されており、流路４８に第２温水熱交換器６２が備えられている。流路４８及び切換弁５８が、流路６０により接続されている。
【００４６】
図６に示すように、外部吸入路３８が、第１デシカントロータ３１の第１部分３１ａに接続され、外部吸入路３８に温度センサー５６及び湿度センサー５７が備えられており、外部（外気）の温度及び湿度を温度センサー５６及び湿度センサー５７により検出することができる。
【００４７】
図６に示すように、第１及び第２デシカントロータ３１，３２の第１部分３１ａ，３２ａ、第１及び第２顕熱交換器４１，４２が、流路５０，５１，５２により接続されて、流路５１に第１温水熱交換器６１が備えられている。
【００４８】
図６に示すように、温水循環路１４（図１参照）が切換弁３３に接続されて、切換弁３３、第１及び第２温水熱交換器６１，６２が、流路４９，６３により接続されており、第１及び第２温水熱交換器６１，６２からの流路６４，６５が温水循環路１４に接続されている。
【００４９】
図２に示すように、空調装置３において、第１及び第２デシカントロータ３１，３２の電動モータ３１ｃ，３２ｃ、切換弁３３，３９，５８、吸入送風機４０、排出送風機５３が、制御装置６により操作されて、除湿運転及び加湿運転が実行される。
以下の［６］［７］において、空調装置３の除湿運転及び加湿運転について説明する。
【００５０】
［６］
空調装置３の除湿運転について説明する。
図７に示すように、制御装置６により切換弁３３，３９，５８が操作され、吸入送風機４０及び排出送風機５３が作動状態となり、第１デシカントロータ３１の電動モータ３１ｃが停止状態となり、第２デシカントロータ３２の電動モータ３２ｃが作動状態となる。温水循環路１４（図１参照）の温水が、第１温水熱交換器６１に供給されない状態（第１温水熱交換器６１の停止状態）となり、第２温水熱交換器６２に供給される状態（第２温水熱交換器６２の作動状態）となる。
【００５１】
図７の太線及び矢印に示すように、空調対象空間３０の空気が、吸入路３６から流路４６、第１顕熱交換器４１、流路４５及び外部排出路３７を通って外部に排出される。
空調対象空間３０の空気が、吸入路３６から切換弁５８、流路５９、第２顕熱交換器４２、第２温水熱交換器６２（第２温水熱交換器６２において加熱される）、第２デシカントロータ３２の第２部分３２ｂ、流路４７及び外部排出路３７を通って、外部に排出される。
【００５２】
図７の太線及び矢印に示すように、外気が、外部吸入路３８から第１デシカントロータ３１の第１部分３１ａ、流路５０、第１顕熱交換器４１、流路５１、第１温水熱交換器６１、第２デシカントロータ３２の第１部分３２ａ、流路５２、第２顕熱交換器４２、流路４４、切換弁３９及び第２排出路３５を通って、空調対象空間３０に供給される。
【００５３】
これにより、図７の太線及び矢印に示すように、外気が第１顕熱交換器４１で冷却されて、第２デシカントロータ３２の第１部分３２ａで除湿され、第２顕熱交換器４２で冷却され、除湿された空気となって空調対象空間３０に供給される。
【００５４】
この場合、図７に示すように、第２熱供給状態において熱源機２で燃焼させる燃料を調節することにより（前項［４］及び図５参照）、温水循環路１４の温水（熱）の温度調節を行い、第２温水熱交換器６２で加熱される空気の温度を調節することによって、第２デシカントロータ３２の第１部分３２ａでの除湿を強弱に変更することができる。
【００５５】
［７］
空調装置３の加湿運転について説明する。
図８に示すように、制御装置６により切換弁３３，３９，５８が操作され、吸入送風機４０及び排出送風機５３が作動状態となり、第１デシカントロータ３１の電動モータ３１ｃが停止状態となり、第２デシカントロータ３２の電動モータ３２ｃが作動状態となる。温水循環路１４（図１参照）の温水が、第１温水熱交換器６１に供給される状態（第１温水熱交換器６１の作動状態）となり、第２温水熱交換器６２に供給されない状態（第２温水熱交換器６２の停止状態）となる。
【００５６】
図８の太線及び矢印に示すように、空調対象空間３０の空気が、吸入路３６から切換弁５８、流路６０、第２温水熱交換器６２、第２デシカントロータ３２の第２部分３２ｂ、流路４７及び外部排出路３７を通って、外部に排出される。
【００５７】
図８の太線及び矢印に示すように、外気が、外部吸入路３８から、第１デシカントロータ３１の第１部分３１ａ、流路５０、第１顕熱交換器４１、流路５１、第１温水熱交換器６１（第１温水熱交換器６１で加熱される）、第２デシカントロータ３２の第１部分３２ａ、流路５２、第２顕熱交換器４２、流路４４、切換弁３９、流路４３、第１デシカントロータ３１の第２部分３１ｂ及び第１排出路３４を通って、空調対象空間３０に供給される。
【００５８】
これにより、図８の太線及び矢印に示すように、外気が第１温水熱交換器６１で加熱され、第２デシカントロータ３２の第１部分３２ａで加湿され、加湿された空気となって空調対象空間３０に供給される。
【００５９】
この場合、図８に示すように、第２熱供給状態において熱源機２で燃焼させる燃料を調節することにより（前項［４］及び図５参照）、温水循環路１４の温水（熱）の温度調節を行い、第１温水熱交換器６１で加熱される空気の温度を調節することによって、第２デシカントロータ３２の第２部分３２ｂでの加湿を強弱に変更することができる。
【００６０】
［８］
空調システムの制御作動について説明する。
この空調システムでは、空調装置３の湿度センサー５５（図６参照）の検出値（空調対象空間３０の湿度）に基づいて、制御装置６により、
第１熱供給運転の実行状態において空調装置３の除湿運転の実行
第２熱供給運転の低温範囲での実行状態において空調装置３の除湿運転の実行
第２熱供給運転の高温範囲での実行状態において空調装置３の除湿運転の実行
第１熱供給運転の実行状態において空調装置３の加湿運転の実行
第２熱供給運転の低温範囲での実行状態において空調装置３の加湿運転の実行
第２熱供給運転の高温範囲での実行状態において空調装置３の加湿運転の実行
のうちのいずれか一つが選択されるのであり、湿度センサー５５の検出値（空調対象空間３０の湿度）が、目標湿度範囲Ａ０に入るように（目標湿度範囲Ａ０に維持されるように）（図９参照）、制御装置６が空調システムの各部を操作する。
以下の［９］［１０］において、空調システムの制御作動の詳細について説明する。
【００６１】
［９］
第１熱供給運転の実行状態において空調装置３の除湿運転の実行、第２熱供給運転の低温範囲での実行状態において空調装置３の除湿運転の実行、第２熱供給運転の高温範囲での実行状態において空調装置３の除湿運転の実行について説明する。
【００６２】
図９に示すように、第１設定湿度Ａ１（例えば２０％）、第２設定湿度Ａ２（例えば３０％）、第３設定湿度Ａ３（例えば４０％）、第４設定湿度Ａ４（例えば６０％）、第５設定湿度Ａ５（例えば７０％）、第６設定湿度Ａ６（例えば８０％）が設定されており、第３設定湿度Ａ３から第４設定湿度Ａ４までが目標湿度範囲Ａ０として設定されている。
【００６３】
図９に示すように、湿度センサー５５の検出値（空調対象空間３０の湿度）が、目標湿度範囲Ａ０内であると、空調装置３は停止している。この場合、第１及び第２熱供給運転も停止しているのであるが、燃料電池１の作動に伴って、蓄熱運転（前項［２］及び図３  参照）が適宜行われる。
【００６４】
図９に示すように、湿度センサー５５の検出値（空調対象空間３０の湿度）が、第４設定湿度Ａ４と第５設定湿度Ａ５との間となると（空調対象空間３０の湿度が目標湿度範囲Ａ０よりも高い状態において、空調対象空間３０の湿度と目標湿度範囲Ａ０との差（絶対値）が除湿設定値以内の状態に相当）、燃料電池１による第１熱供給運転が実行され、空調装置３の除湿運転が実行される。
【００６５】
図９に示すように、湿度センサー５５の検出値（空調対象空間３０の湿度）が、第５設定湿度Ａ５と第６設定湿度Ａ６との間となると（空調対象空間３０の湿度が目標湿度範囲Ａ０よりも高い状態において、空調対象空間３０の湿度と目標湿度範囲Ａ０との差（絶対値）が除湿設定値よりも大きい状態に相当）、熱源機２による第２熱供給運転が低温範囲で実行されて、空調装置３の除湿運転が実行される。
【００６６】
これにより、湿度センサー５５の検出値（空調対象空間３０の湿度）が、目標湿度範囲Ａ０に入るように（目標湿度範囲Ａ０に維持されるように）、熱源機２で燃焼させる燃料が調節され、温水循環路１４の温水（熱）の温度調節が低温範囲で行われて、第２デシカントロータ３２の第１部分３２ａでの除湿が強弱に変更される。
【００６７】
図９に示すように、湿度センサー５５の検出値（空調対象空間３０の湿度）が、第６設定湿度Ａ６と１００％との間となると（空調対象空間３０の湿度が目標湿度範囲Ａ０よりも高い状態において、空調対象空間３０の湿度と目標湿度範囲Ａ０との差（絶対値）が除湿設定値よりも大きい状態に相当）、熱源機２による第２熱供給運転が高温範囲で実行されて、空調装置３の除湿運転が実行される。
【００６８】
これにより、湿度センサー５５の検出値（空調対象空間３０の湿度）が、目標湿度範囲Ａ０に入るように（目標湿度範囲Ａ０に維持されるように）、熱源機２で燃焼させる燃料が調節され、温水循環路１４の温水（熱）の温度調節が高温範囲で行われて、第２デシカントロータ３２の第１部分３２ａでの除湿が強弱に変更される。
【００６９】
［１０］
第１熱供給運転の実行状態において空調装置３の加湿運転の実行、第２熱供給運転の低温範囲での実行状態において空調装置３の加湿運転の実行、第２熱供給運転の高温範囲での実行状態において空調装置３の加湿運転の実行について説明する。
【００７０】
図９に示すように、湿度センサー５５の検出値（空調対象空間３０の湿度）が、第２設定湿度Ａ２と第３設定湿度Ａ３との間となると（空調対象空間３０の湿度が目標湿度範囲Ａ０よりも低い状態において、空調対象空間３０の湿度と目標湿度範囲Ａ０との差（絶対値）が加湿設定値以内の状態に相当）、燃料電池１による第１熱供給運転が実行され、空調装置３の加湿運転が実行される。
【００７１】
図９に示すように、湿度センサー５５の検出値（空調対象空間３０の湿度）が、第１設定湿度Ａ１と第２設定湿度Ａ２との間となると（空調対象空間３０の湿度が目標湿度範囲Ａ０よりも低い状態において、空調対象空間３０の湿度と目標湿度範囲Ａ０との差（絶対値）が加湿設定値よりも大きい状態に相当）、熱源機２による第２熱供給運転が低温範囲で実行されて、空調装置３の加湿運転が実行される。
【００７２】
これにより、湿度センサー５５の検出値（空調対象空間３０の湿度）が、目標湿度範囲Ａ０に入るように（目標湿度範囲Ａ０に維持されるように）、熱源機２で燃焼させる燃料が調節され、温水循環路１４の温水（熱）の温度調節が低温範囲で行われて、第２デシカントロータ３２の第２部分３２ｂでの加湿が強弱に変更される。
【００７３】
図９に示すように、湿度センサー５５の検出値（空調対象空間３０の湿度）が、０％と第１設定湿度Ａ１との間となると（空調対象空間３０の湿度が目標湿度範囲Ａ０よりも低い状態において、空調対象空間３０の湿度と目標湿度範囲Ａ０との差（絶対値）が加湿設定値よりも大きい状態に相当）、熱源機２による第２熱供給運転が高温範囲で実行されて、空調装置３の加湿運転が実行される。
【００７４】
これにより、湿度センサー５５の検出値（空調対象空間３０の湿度）が、目標湿度範囲Ａ０に入るように（目標湿度範囲Ａ０に維持されるように）、熱源機２で燃焼させる燃料が調節され、温水循環路１４の温水（熱）の温度調節が高温範囲で行われて、第２デシカントロータ３２の第２部分３２ｂでの加湿が強弱に変更される。
【００７５】
［発明の実施の第１別形態］
前述の［発明を実施するための形態］に加えて、以下に示すように構成してもよい。
図１０に示すように、空調装置３の湿度センサー５５の検出値（空調対象空間３０の湿度）に基づいて、制御装置６により、［発明を実施するための形態］の［８］［９］［１０］に記載の制御が行われる。
【００７６】
図１０に示すように、制御装置６にタイマー（図示せず）が備えられており、湿度センサー５５の検出値（空調対象空間３０の湿度）が、
第４設定湿度Ａ４と第５設定湿度Ａ５との間となった時点Ｔ０
第５設定湿度Ａ５と第６設定湿度Ａ６との間となった時点Ｔ０
第２設定湿度Ａ２と第３設定湿度Ａ３との間となった時点Ｔ０
第１設定湿度Ａ１と第２設定湿度Ａ２との間となった時点Ｔ０
から、タイマーが作動する。
【００７７】
［１１］
図１０に示すように、湿度センサー５５の検出値（空調対象空間３０の湿度）が、第４設定湿度Ａ４と第５設定湿度Ａ５との間となった時点Ｔ０から、暖房設定時間Ｔ１１（例えば３０分）が経過しても、湿度センサー５５の検出値（空調対象空間３０の湿度）が目標湿度範囲Ａ０に戻らなければ、第１熱供給運転の実行状態において空調装置３の除湿運転の実行から、第２熱供給運転の低温範囲での実行状態において空調装置３の除湿運転の実行に切り換えられる。
【００７８】
［１２］
前項［１１］に記載の状態において、図１０に示すように、時点Ｔ０から暖房設定時間Ｔ１２（例えば６０分）が経過しても、湿度センサー５５の検出値（空調対象空間３０の湿度）が目標湿度範囲Ａ０に戻らなければ、第２熱供給運転の低温範囲での実行状態において空調装置３の除湿運転の実行から、第２熱供給運転の高温範囲での実行状態において空調装置３の除湿運転の実行に切り換えられるのであり、湿度センサー５５の検出値（空調対象空間３０の湿度）が目標湿度範囲Ａ０に戻るまで、第２熱供給運転の高温範囲での実行状態において空調装置３の除湿運転の実行が維持される。
【００７９】
［１３］
図１０に示すように、湿度センサー５５の検出値（空調対象空間３０の湿度）が、第５設定湿度Ａ５と第６設定湿度Ａ６との間となった時点Ｔ０から、暖房設定時間Ｔ１１（例えば３０分）が経過しても、湿度センサー５５の検出値（空調対象空間３０の湿度）が目標湿度範囲Ａ０に戻らなければ、第２熱供給運転の低温範囲での実行状態において空調装置３の除湿運転の実行から、第２熱供給運転の高温範囲での実行状態において空調装置３の除湿運転の実行に切り換えられるのであり、湿度センサー５５の検出値（空調対象空間３０の湿度）が目標湿度範囲Ａ０に戻るまで、第２熱供給運転の高温範囲での実行状態において空調装置３の除湿運転の実行が維持される。
【００８０】
［１４］
図１０に示すように、湿度センサー５５の検出値（空調対象空間３０の湿度）が、第６設定湿度Ａ６と１００％との間となった状態では、湿度センサー５５の検出値（空調対象空間３０の湿度）が目標湿度範囲Ａ０に戻るまで、第２熱供給運転の高温範囲での実行状態において空調装置３の除湿運転の実行が維持される。
【００８１】
［１５］
図１０に示すように、湿度センサー５５の検出値（空調対象空間３０の湿度）が、第２設定湿度Ａ２と第３設定湿度Ａ３との間となった時点Ｔ０から、冷房設定時間Ｔ２１（例えば３０分）が経過しても、湿度センサー５５の検出値（空調対象空間３０の湿度）が目標湿度範囲Ａ０に戻らなければ、第１熱供給運転の実行状態において空調装置３の加湿運転の実行から、第２熱供給運転の低温範囲での実行状態において空調装置３の加湿運転の実行に切り換えられる。
【００８２】
［１６］
前項［１５］に記載の状態において、図１０に示すように、時点Ｔ０から冷房設定時間Ｔ２２（例えば６０分）が経過しても、湿度センサー５５の検出値（空調対象空間３０の湿度）が、目標湿度範囲Ａ０に戻らなければ、第２熱供給運転の低温範囲での実行状態において空調装置３の加湿運転の実行から、第２熱供給運転の高温範囲での実行状態において空調装置３の加湿運転の実行に切り換えられるのであり、湿度センサー５５の検出値（空調対象空間３０の湿度）が目標湿度範囲Ａ０に戻るまで、第２熱供給運転の高温範囲での実行状態において空調装置３の加湿運転の実行が維持される。
【００８３】
［１７］
図１０に示すように、湿度センサー５５の検出値（空調対象空間３０の湿度）が、第１設定湿度Ａ１と第２設定湿度Ａ２との間となった時点Ｔ０から、冷房設定時間Ｔ２１（例えば３０分）が経過しても、湿度センサー５５の検出値（空調対象空間３０の湿度）が目標湿度範囲Ａ０に戻らなければ、第２熱供給運転の低温範囲での実行状態において空調装置３の加湿運転の実行から、第２熱供給運転の高温範囲での実行状態において空調装置３の加湿運転の実行に切り換えられるのであり、湿度センサー５５の検出値（空調対象空間３０の湿度）が目標湿度範囲Ａ０に戻るまで、第２熱供給運転の高温範囲での実行状態において空調装置３の加湿運転の実行が維持される。
【００８４】
［１８］
図１０に示すように、湿度センサー５５の検出値（空調対象空間３０の湿度）が、０％と第１設定湿度Ａ１との間となった状態では、湿度センサー５５の検出値（空調対象空間３０の湿度）が目標湿度範囲Ａ０に戻るまで、第２熱供給運転の高温範囲での実行状態において空調装置３の加湿運転の実行が維持される。
【００８５】
［発明の実施の第２別形態］
前述の［発明の実施の第１別形態］に加えて、以下に示すように構成してもよい。
空調装置３において、除湿運転及び加湿運転に加えて冷房運転及び暖房運転も実行できるように、空調装置３を以下の説明のように構成する。
【００８６】
［１９］
空調装置３の冷房運転について説明する。
図１２に示すように、制御装置６により切換弁３３，３９，５８が操作され、吸入送風機４０及び排出送風機５３が作動状態となり、第１及び第２デシカントロータ３１，３２の電動モータ３１ｃ，３２ｃが作動状態となる。温水循環路１４（図１参照）の温水が、第１温水熱交換器６１に供給されない状態（第１温水熱交換器６１の停止状態）となり、第２温水熱交換器６２に供給される状態（第２温水熱交換器６２の作動状態）となる。
【００８７】
図１２の太線及び矢印に示すように、空調対象空間３０の空気が、除湿運転（前項［６］及び図７参照）の状態と同じ経路を通る。
外気が、切換弁３９まで除湿運転（前項［６］及び図７参照）の状態と同じ経路を通るのであり、切換弁３９から第１デシカントロータ３１の第２部分３１ｂ及び第１排出路３４を通って、空調対象空間３０に供給される。
【００８８】
これにより、図１２の太線及び矢印に示すように、外気が第１デシカントロータ３１の第１部分３１ａで除湿され、第１顕熱交換器４１で冷却され、第２デシカントロータ３２の第１部分３２ａで除湿され、第２顕熱交換器４２で冷却され、第１デシカントロータ３１の第２部分３１ｂで吸湿されて打ち水効果によって冷却され（吸湿冷却）、冷却された空気となって空調対象空間３０に供給される。このように、空調装置３は、燃料電池１及び熱源機２から供給される熱を利用して、空調対象空間３０の空気を冷却する冷房運転を実行可能に構成されている。
【００８９】
［２０］
空調装置３の暖房運転について説明する。
図１３に示すように、制御装置６により切換弁３３，３９，５８が操作され、吸入送風機４０及び排出送風機５３が作動状態となり、第１及び第２デシカントロータ３１，３２の電動モータ３１ｃ，３２ｃが停止状態となる。温水循環路１４（図１参照）の温水が、第１温水熱交換器６１に供給される状態（第１温水熱交換器６１の作動状態）となり、第２温水熱交換器６２に供給されない状態（第２温水熱交換器６２の停止状態）となる。
【００９０】
図１３の太線及び矢印に示すように、空調対象空間３０の空気が、加湿運転（前項［７］及び図８参照）の状態と同じ経路を通る。外気が、切換弁３９まで加湿運転の状態と同じ経路を通るのであり、切換弁３９から第２排出路３５を通る。
【００９１】
これにより、図１３の太線及び矢印に示すように、外気が、第１温水熱交換器６１で加熱され、加熱された空気となって空調対象空間３０に供給される。第２熱供給状態において熱源機２で燃焼させる燃料を調節することにより、温水循環路１４の温水（熱）の温度調節を行い、第１温水熱交換器６１で加熱される空気の温度を調節することができる。このように、空調装置３は、燃料電池１及び熱源機２から供給される熱を利用して、空調対象空間３０の空気を加熱する暖房運転を実行可能に構成されている。
【００９２】
［２１］
以上のように、空調装置３の除湿運転、加湿運転、冷房運転及び暖房運転が実行可能な状態において、図１１に示すように、空調装置３の湿度センサー５５の検出値（空調対象空間３０の湿度）に基づいて、制御装置６により、［発明を実施するための形態］の［８］［９］［１０］に記載の制御、及び［発明の実施の第１別形態］の［１１］〜［１８］に記載の制御が行われる。
【００９３】
図１１に示すように、前項［１１］［１２］に記載の状態において、時点Ｔ０から暖房設定時間Ｔ１３（例えば９０分）が経過しても、湿度センサー５５の検出値（空調対象空間３０の湿度）が目標湿度範囲Ａ０に戻らなければ、第２熱供給運転の高温範囲での実行状態において空調装置３の除湿運転の実行から、空調装置３の暖房運転の実行に切り換えられるのであり、湿度センサー５５の検出値（空調対象空間３０の湿度）が目標湿度範囲Ａ０に戻るまで、空調装置３の暖房運転の実行が維持される。このように、制御装置６は、空調対象空間３０の湿度が目標湿度範囲Ａ０よりも高い状態が暖房設定時間以上になると、空調装置３に暖房運転を実行させるように構成されている。
【００９４】
図１１に示すように、前項［１３］に記載の状態において、時点Ｔ０から暖房設定時間Ｔ１２（例えば６０分）が経過しても、湿度センサー５５の検出値（空調対象空間３０の湿度）が目標湿度範囲Ａ０に戻らなければ、第２熱供給運転の高温範囲での実行状態において空調装置３の除湿運転の実行から、空調装置３の暖房運転の実行に切り換えられるのであり、湿度センサー５５の検出値（空調対象空間３０の湿度）が目標湿度範囲Ａ０に戻るまで、空調装置３の暖房運転の実行が維持される。
【００９５】
図１１に示すように、前項［１４］に記載の状態において、時点Ｔ０から暖房設定時間Ｔ１１（例えば３０分）が経過しても、湿度センサー５５の検出値（空調対象空間３０の湿度）が目標湿度範囲Ａ０に戻らなければ、第２熱供給運転の高温範囲での実行状態において空調装置３の除湿運転の実行から、空調装置３の暖房運転の実行に切り換えられるのであり、湿度センサー５５の検出値（空調対象空間３０の湿度）が目標湿度範囲Ａ０に戻るまで、空調装置３の暖房運転の実行が維持される。
【００９６】
図１１に示すように、前項［１５］［１６］に記載の状態において、時点Ｔ０から冷房設定時間Ｔ２３（例えば９０分）が経過しても、湿度センサー５５の検出値（空調対象空間３０の湿度）が目標湿度範囲Ａ０に戻らなければ、第２熱供給運転の高温範囲での実行状態において空調装置３の加湿運転の実行から、空調装置３の冷房運転の実行に切り換えられるのであり、湿度センサー５５の検出値（空調対象空間３０の湿度）が目標湿度範囲Ａ０に戻るまで、空調装置３の冷房運転の実行が維持される。このように、制御装置６は、空調対象空間３０の湿度が目標湿度範囲Ａ０よりも低い状態が冷房設定時間以上になると、空調装置３に冷房運転を実行させるように構成されている。
【００９７】
図１１に示すように、前項［１７］に記載の状態において、時点Ｔ０から冷房設定時間Ｔ２２（例えば６０分）が経過しても、湿度センサー５５の検出値（空調対象空間３０の湿度）が目標湿度範囲Ａ０に戻らなければ、第２熱供給運転の高温範囲での実行状態において空調装置３の加湿運転の実行から、空調装置３の冷房運転の実行に切り換えられるのであり、湿度センサー５５の検出値（空調対象空間３０の湿度）が目標湿度範囲Ａ０に戻るまで、空調装置３の冷房運転の実行が維持される。
【００９８】
図１１に示すように、前項［１８］に記載の状態において、時点Ｔ０から冷房設定時間Ｔ２１（例えば３０分）が経過しても、湿度センサー５５の検出値（空調対象空間３０の湿度）が目標湿度範囲Ａ０に戻らなければ、第２熱供給運転の高温範囲での実行状態において空調装置３の加湿運転の実行から、空調装置３の冷房運転の実行に切り換えられるのであり、湿度センサー５５の検出値（空調対象空間３０の湿度）が目標湿度範囲Ａ０に戻るまで、空調装置３の冷房運転の実行が維持される。
【００９９】
［発明の実施の第３別形態］
前述の［発明の実施の第２別形態］において、図１４に示すように構成してもよい。
図１４に示すように、目標湿度範囲Ａ０、第１設定湿度Ａ１（例えば２０％）、第２設定湿度Ａ２（例えば３０％）、第３設定湿度Ａ３（例えば４０％）、第４設定湿度Ａ４（例えば６０％）、第５設定湿度Ａ５（例えば７０％）、第６設定湿度Ａ６（例えば８０％）に加えて、第７設定湿度Ａ７（例えば９０％）及び第８設定湿度Ａ８（例えば１０％）が設定されている。
【０１００】
図１４に示すように、空調装置３の湿度センサー５５の検出値（空調対象空間３０の湿度）に基づいて、制御装置６により、［発明を実施するための形態］の［８］［９］［１０］に記載の制御、及び［発明の実施の第１別形態］の［１１］〜［１８］に記載の制御が行われる。
【０１０１】
前述の状態において、図１４に示すように、湿度センサー５５の検出値（空調対象空間３０の湿度）が、第６設定湿度Ａ６と第７設定湿度Ａ７との間となると（空調対象空間３０の湿度が目標湿度範囲Ａ０よりも高い状態において、空調対象空間３０の湿度と目標湿度範囲Ａ０との差（絶対値）が除湿設定値よりも大きい状態に相当）、熱源機２による第２熱供給運転が高温範囲で実行されて、空調装置３の除湿運転が実行される。
【０１０２】
図１４に示すように、湿度センサー５５の検出値（空調対象空間３０の湿度）が、第７設定湿度Ａ７と１００％との間となると（空調対象空間３０の湿度が目標湿度範囲Ａ０よりも高い状態において、空調対象空間３０の湿度と目標湿度範囲Ａ０との差（絶対値）が暖房設定値よりも大きい状態に相当）、空調装置３の暖房運転が実施される。
【０１０３】
このように、制御装置６は、空調対象空間３０の湿度が目標湿度範囲Ａ０よりも高い状態において、空調対象空間３０の湿度と目標湿度範囲Ａ０との差が除湿設定値以内であると、空調装置３に低温の熱が供給されるように燃料電池１を作動させて、空調装置３に除湿運転を実行させ、空調対象空間３０の湿度と目標湿度範囲Ａ０との差が除湿設定値よりも大きいと、空調装置３に高温の熱が供給されるように熱源機２を作動させて、空調装置３に除湿運転を実行させ、空調対象空間３０の湿度と目標湿度範囲Ａ０との差が、除湿設定値よりも大きい暖房設定値よりも大きいと、空調装置３に暖房運転を実行させる。
【０１０４】
例えば雨天の日のような多湿の状態においては、空調対象空間３０の湿度を目標湿度範囲Ａ０内に維持する為に、空調装置３が除湿運転を実行しても、空調対象空間３０の湿度を目標湿度範囲Ａ０内に維持することが困難な場合がある。ところが本実施形態では、空調対象空間３０の湿度と目標湿度範囲Ａ０との差が、除湿設定値よりも大きい暖房設定値よりも大きくなると、空調装置３が除湿運転から暖房運転に切り換わるのであり、空調対象空間３０の温度を上げることにより、空調対象空間３０の湿度を下げることができて、空調対象空間３０の湿度を目標湿度範囲Ａ０内に早急に戻して適切に維持することができる。
【０１０５】
図１４に示すように、湿度センサー５５の検出値（空調対象空間３０の湿度）が、第８設定湿度Ａ８と第１設定湿度Ａ１との間となると（空調対象空間３０の湿度が目標湿度範囲Ａ０よりも低い状態において、空調対象空間３０の湿度と目標湿度範囲Ａ０との差（絶対値）が加湿設定値よりも大きい状態に相当）、熱源機２による第２熱供給運転が高温範囲で実行されて、空調装置３の加湿運転が実行される。
【０１０６】
図１４に示すように、湿度センサー５５の検出値（空調対象空間３０の湿度）が、０％と第８設定湿度Ａ８との間となると（空調対象空間３０の湿度が目標湿度範囲Ａ０よりも低い状態において、空調対象空間３０の湿度と目標湿度範囲Ａ０との差（絶対値）が冷房設定値よりも大きい状態に相当）、空調装置３の冷房運転が実施される。
【０１０７】
このように、制御装置６は、空調対象空間３０の湿度と目標湿度範囲Ａ０との差が加湿設定値以内であると、空調装置３に低温の熱が供給されるように燃料電池１を作動させて、空調装置３に加湿運転を実行させ、空調対象空間３０の湿度と目標湿度範囲Ａ０との差が加湿設定値よりも大きいと、空調装置３に高温の熱が供給されるように熱源機２を作動させて、空調装置３に加湿運転を実行させ、空調対象空間３０の湿度と目標湿度範囲Ａ０との差が、加湿設定値よりも大きい冷房設定値よりも大きいと、空調装置３に冷房運転を実行させる。
【０１０８】
例えば晴天の日のような乾燥した状態においては、空調対象空間３０の湿度を目標湿度範囲Ａ０内に維持する為に、空調装置３が加湿運転を実行しても、空調対象空間３０の湿度を目標湿度範囲Ａ０内に維持することが困難な場合がある。ところが本実施形態では、空調対象空間３０の湿度と目標湿度範囲Ａ０との差が、加湿設定値よりも大きい冷房設定値よりも大きくなると、空調装置３が加湿運転から冷房運転に切り換わるのであり、空調対象空間３０の温度を下げることにより、空調対象空間３０の湿度を下げることができて、空調対象空間３０の湿度を目標湿度範囲Ａ０内に早急に戻して適切に維持することができる。
【０１０９】
［発明の実施の第４別形態］
前述の［発明の実施の第２別形態］において、図１５に示すように構成してもよい。
図１５に示すように、湿度センサー５５の検出値（空調対象空間３０の湿度）が目標湿度範囲Ａ０よりも高くなるほど、空調装置３の暖房運転に切り換えられる暖房設定時間Ｔ１１，Ｔ１４（例えば７分３０秒）、及び、第２熱供給運転の高温範囲での実行状態において空調装置３の除湿運転の実行に切り換えられる暖房設定時間Ｔ１５（例えば１５分）が、短い値に設定されている。
【０１１０】
図１５に示すように、湿度センサー５５の検出値（空調対象空間３０の湿度）が目標湿度範囲Ａ０よりも低くなるほど、空調装置３の冷房運転に切り換えられる冷房設定時間Ｔ２１，Ｔ２４（例えば７分３０秒）、及び、第２熱供給運転の高温範囲での実行状態において空調装置３の加湿運転の実行に切り換えられる冷房設定時間Ｔ２５（例えば１５分）が、短い値に設定されている。
【０１１１】
この場合、図１５に示すように、暖房設定時間Ｔ１１が暖房設定時間Ｔ１３の約１／３に設定され、暖房設定時間Ｔ１４が暖房設定時間Ｔ１１の約１／４に設定されている。同様に、冷房設定時間Ｔ２１が冷房設定時間Ｔ２３の約１／３に設定され、冷房設定時間Ｔ２４が冷房設定時間Ｔ２１の約１／４に設定されている。
以上のように、目標湿度範囲Ａ０から湿度が高くなるほど（低くなるほど）、暖房設定時間（冷房設定時間）が縮小される際の縮小比が次第に大きくなるように設定している。
【０１１２】
前述の状態について別の視点から見ると、図１５に示すように、暖房設定時間Ｔ１１と暖房設定時間Ｔ１３との差が大きく、暖房設定時間Ｔ１４と暖房設定時間Ｔ１１との差が小さなものに設定されている。同様に、冷房設定時間Ｔ２１と冷房設定時間Ｔ２３との差が大きく、冷房設定時間Ｔ２４と冷房設定時間Ｔ２１との差が小さなものに設定されている。
【０１１３】
以上のように、目標湿度範囲Ａ０から湿度が高くなるほど（低くなるほど）、暖房設定時間（冷房設定時間）が縮小される際の縮小幅が次第に小さなものになるように設定している。
この場合、［発明の実施の第４別形態］において、前述の［発明の実施の第３別形態］に記載の第７設定湿度Ａ７及び第８設定湿度Ａ８、空調装置３の暖房及び冷房運転の構成を追加してもよい。
【０１１４】
［発明の実施の第５別形態］
前述の［発明を実施するための形態］に加えて、以下に示すように構成してもよい。
図１６に示すように、
第１熱供給運転の実行状態において空調装置３の除湿運転の実行
第２熱供給運転の低温範囲での実行状態において空調装置３の除湿運転の実行
第２熱供給運転の高温範囲での実行状態において空調装置３の除湿運転の実行
が開始された時点Ｔ０から暖房設定時間Ｔ１１が経過すると、空調装置３の暖房運転の実行に切り換えられ、湿度センサー５５の検出値（空調対象空間３０の湿度）が目標湿度範囲Ａ０に戻るまで、空調装置３の暖房運転の実行が維持されるように構成する。
【０１１５】
図１６に示すように、
第１熱供給運転の実行状態において空調装置３の加湿運転の実行
第２熱供給運転の低温範囲での実行状態において空調装置３の加湿運転の実行
第２熱供給運転の高温範囲での実行状態において空調装置３の加湿運転の実行
が開始された時点Ｔ０から、冷房設定時間Ｔ２１が経過すると、空調装置３の冷房運転の実行に切り換えられ、湿度センサー５５の検出値（空調対象空間３０の湿度）が目標湿度範囲Ａ０に戻るまで、空調装置３の冷房運転の実行が維持されるように構成する。
この場合、［発明の実施の第５別形態］において、前述の［発明の実施の第３別形態］に記載の第７設定湿度Ａ７及び第８設定湿度Ａ８、空調装置３の暖房及び冷房運転の構成を追加してもよい。
【０１１６】
［発明の実施の第６別形態］
前述の［発明を実施するための形態］［発明の実施の第１別形態］〜［発明の実施の第５別形態］において、以下のように構成してもよい。
図９，１０，１１，１４，１５，１６に示す目標湿度範囲Ａ０を４０％〜６０％の範囲ではなく、例えば４５％〜５５％、４０％〜５０％、５０％〜６０％というように、空調対象空間３０の状態に応じて各種の値に設定してもよい。
【０１１７】
図９，１０，１１，１４，１５，１６に示す第１〜８設定湿度Ａ１〜Ａ８を２０％、３０％、４０％、６０％、７０％，８０％、１０％及び９０％以外の値に任意に設定してもよい。
この場合、住宅の居室等の空調対象空間３０に設置された電力消費装置（照明装置等）から燃料電池１に係る発電負荷の変化に応じて、第２及び第５設定湿度Ａ２，Ａ５が変更されるように構成してもよい。
【０１１８】
図９，１０，１１，１４，１５，１６に示す第２及び第５設定湿度Ａ２，Ａ５を各種の異なる値に設定することにより、空調対象空間３０の湿度が目標湿度範囲Ａ０よりも高い状態において空調対象空間３０の湿度と目標湿度範囲Ａ０との差（絶対値）に対応する除湿設定値、並びに、空調対象空間３０の湿度が目標湿度範囲Ａ０よりも低い状態において空調対象空間３０の湿度と目標湿度範囲Ａ０との差（絶対値）に対応する加湿設定値を、互いに異なる任意の値になるように設定してもよい。
【０１１９】
図９，１０，１１，１４，１５，１６に示す暖房設定時間Ｔ１１〜Ｔ１５及び冷房設定時間Ｔ２１〜Ｔ２５を、３０分、６０分、９０分、７分３０秒及び１５分以外の任意の時間に設定してもよい。
湿度センサー５５の検出値（空調対象空間３０の湿度）に応じて、暖房設定時間Ｔ１１〜Ｔ１５が異なるように設定してよく、湿度センサー５５の検出値（空調対象空間３０の湿度）に応じて、冷房設定時間Ｔ２１〜Ｔ２５が異なるように設定してもよい。
暖房設定時間Ｔ１１〜Ｔ１５と冷房設定時間Ｔ２１〜Ｔ２５とを、互いに異なる時間に設定してもよい。
【０１２０】
空調装置３において、加湿運転を行わずに、除湿運転を行うように構成してもよく、除湿運転を行わずに、加湿運転を行うように構成してもよい。
空調装置３において、加湿及び冷房運転を行わずに、除湿及び暖房運転を行うように構成してもよく、除湿及び暖房運転を行わずに、加湿及び冷房運転を行うように構成してもよい。
【０１２１】
図１，３，４，５に示す燃料電池１に代えて、ガスエンジンや太陽熱集熱装置（太陽光により温水を生成する太陽光パネル等）を低温熱源装置として使用してもよい。
【０１２２】
なお、上記実施形態（別実施形態を含む。以下同じ）で開示される構成は、矛盾が生じない限り、他の実施形態で開示される構成と組み合わせて適用することが可能であり、また、本明細書において開示された実施形態は例示であって、本発明の実施形態はこれに限定されず、本発明の目的を逸脱しない範囲内で適宜改変することが可能である。
【産業上の利用可能性】
【０１２３】
本発明は、空調対象空間の空気を除湿（加湿）する空調システムに適用できる。
【符号の説明】
【０１２４】
１              低温熱源装置（熱電併給装置）
２              高温熱源装置（熱源機）
３              空調装置
６              制御装置
３０            空調対象空間
５５            湿度センサー
Ａ０            目標湿度範囲
【図１】
0006731769.tif 000002
【図２】
0006731769.tif 000003
【図３】
0006731769.tif 000004
【図４】
0006731769.tif 000005
【図５】
0006731769.tif 000006
【図６】
0006731769.tif 000007
【図７】
0006731769.tif 000008
【図８】
0006731769.tif 000009
【図９】
0006731769.tif 000010
【図１０】
0006731769.tif 000011
【図１１】
0006731769.tif 000012
【図１２】
0006731769.tif 000013
【図１３】
0006731769.tif 000014
【図１４】
0006731769.tif 000015
【図１５】
0006731769.tif 000016
【図１６】
0006731769.tif 000017